【手続補正書】
【提出日】平成17年11月18日(2005.11.18)
【手続補正１】
【補正対象書類名】明細書
【補正対象項目名】特許請求の範囲
【補正方法】変更
【補正の内容】
【特許請求の範囲】
【請求項１】  対物レンズを保持するレンズホルダと、
前記レンズホルダを前記対物レンズの光軸方向およびこの光軸方向に垂直な方向に弾性支持する第１の支持部および第２の支持部を有するサスペンションホルダと、
前記レンズホルダと前記第１の支持部および第２の支持部とを連結し、長手方向にコンプライアンスを有する４本の弾性部材と、を有し、
前記レンズホルダは、前記第１の支持部と第２の支持部との略中央に配置され、前記第１の支持部および第２の支持部と前記４本の弾性部材との固定部が前記対物レンズの光軸方向と垂直な平面にて略同一高さとすることを特徴とする光学ヘッドアクチュエータ。
【請求項２】  請求項１に記載の光学ヘッドアクチュエータにおいて、
前記４本の弾性部材は、４本の弾性線材により形成し、各弾性線材にクランク状屈曲部を形成することにより長手方向の前記コンプライアンスを持たせるようにしたことを特徴とする光学ヘッドアクチュエータ。
【請求項３】  長手方向にコンプライアンスを有する２本の弾性部材を所定間隔あけて略平行に配置し、前記２本の弾性部材の略中央にレンズホルダを樹脂材によりアウトサート成形すると共に当該２本の弾性部材の両側部に第１の支持部および第２の支持部を樹脂材によりアウトサート成形した後、対物レンズを前記レンズホルダの、前記２本の弾性部材の両側部を固定する前記第１の支持部および第２の支持部の固定部が当該対物レンズの光軸方向と垂直な平面にて略同一高さとなる位置に固定し、その後、前記２本の弾性部材の略中央を切断して長手方向にコンプライアンスを有する４本の弾性部材により前記レンズホルダを前記光軸方向および当該光軸方向に垂直な方向に弾性支持したことを特徴とする光学ヘッドアクチュエータの製造方法。
【請求項４】  請求項３に記載の光学ヘッドアクチュエータの製造方法において、
前記２本の弾性部材は、弾性及び導電性を保有する金属薄板材により、弾性変形可能なクランク状屈折部を有する２本の弾性線材として形成したことを特徴とする光学ヘッドアクチュエータの製造方法。
【手続補正２】
【補正対象書類名】明細書
【補正対象項目名】０００２
【補正方法】変更
【補正の内容】
【０００２】
【従来の技術】
光学式情報記録再生装置（以下、光学ディスク装置という）は、回転駆動される光ディスク、光磁気ディスク等の円盤状光学記録媒体（以下、光学ディスクという）に対して、光学ピックアップ装置によりレーザ光を照射し、また、反射させてこの反射光を受光し、情報の記録再生を行うように構成されている。
【手続補正３】
【補正対象書類名】明細書
【補正対象項目名】０００７
【補正方法】変更
【補正の内容】
【０００７】
このように構成される２軸アクチュエータ１においては、磁石６とヨーク７とによって形成される磁気回路と、この磁気回路の空隙中に位置するフォーカスコイル８とによりフォーカス方向Ｆに駆動力を持つ動電型変換器が構成され、また、磁気回路と、磁気回路の空隙中に位置するトラッキングコイル９とによりトラッキング方向Ｔに駆動力を持つ動電型変換器が構成されている。そして対物レンズ２を保持したレンズホルダ３は、フォーカスコイル８に流れる電流に応じてサスペンション部材４の金属線４ａ〜４ｄの弾性力に抗してフォーカス方向Ｆに並進運動し、また、トラッキングコイル９に流れる電流に応じて金属線４ａ〜４ｄの弾性力に抗してトラッキング方向Ｔに並進運動する。このようにして、レンズホルダ３は、対物レンズ２と一体にフォーカス駆動およびトラッキング駆動されて、対物レンズ２を通してレーザ光が回転駆動される光学ディスクの所定位置にスポット照射され記録又は再生が行われる。
【手続補正４】
【補正対象書類名】明細書
【補正対象項目名】００１１
【補正方法】変更
【補正の内容】
【００１１】
【課題を解決するための手段】
前記目的を達成するために本発明による光学ヘッドアクチュエータは、対物レンズを保持するレンズホルダと、このレンズホルダを対物レンズの光軸方向およびこの光軸方向に垂直な方向に弾性支持する第１の支持部および第２の支持部を有するサスペンションホルダと、レンズホルダと第１の支持部および第２の支持部とを連結し、長手方向にコンプライアンスを有する４本の弾性部材と、を有し、レンズホルダは、第１の支持部と第２の支持部との略中央に配置され、第１の支持部および第２の支持部と４本の弾性部材との固定部が対物レンズの光軸方向と垂直な平面にて略同一高さとするように構成したものである。
【手続補正５】
【補正対象書類名】明細書
【補正対象項目名】００１２
【補正方法】変更
【補正の内容】
【００１２】
前記構成において、４本の弾性部材は、４本の弾性線材により形成し、各弾性線材にクランク状屈曲部を形成することにより長手方向のコンプライアンスを持たせるように構成することができる。
【手続補正６】
【補正対象書類名】明細書
【補正対象項目名】００１５
【補正方法】変更
【補正の内容】
【００１５】
また、本発明は光学ヘッドアクチュエータの製造方法であって、長手方向にコンプライアンスを有する２本の弾性部材を所定間隔あけて略平行に配置し、この２本の弾性部材の略中央にレンズホルダを樹脂材によりアウトサート成形すると共にこの２本の弾性部材の両側部に第１の支持部および第２の支持部を樹脂材によりアウトサート成形した後、対物レンズをレンズホルダの、２本の弾性部材の両側部を固定する第１の支持部および第２の支持部の固定部が対物レンズの光軸方向と垂直な平面にて略同一高さとなる位置に固定し、その後、２本の弾性部材の略中央を切断して長手方向にコンプライアンスを有する４本の弾性部材によりレンズホルダを光軸方向およびこの光軸方向に垂直な方向に弾性支持したものである。
【手続補正７】
【補正対象書類名】明細書
【補正対象項目名】００１６
【補正方法】変更
【補正の内容】
【００１６】
前記光学ヘッドアクチュエータの製造方法において、２本の弾性部材は、弾性及び導電性を保有する金属薄板材により、弾性変形可能なクランク状屈折部を有する２本の弾性線材として形成することができる。
【手続補正８】
【補正対象書類名】明細書
【補正対象項目名】００２３
【補正方法】変更
【補正の内容】
【００２３】
そして、このサスペンション部材２９の各弾性線材２９１〜２９４は他端部である端子片部２９ｂ１〜２９ｂ４においてサスペンションホルダ（以下サスホルダという）３０に固定されている。このサスホルダ３０は、前述したレンズホルダ２３と同様の樹脂材により成形されるもので、四辺形の枠状でこのジッタ方向Ｊにおいて対向する第１の支持部である辺部３０ａおよび第２の支持部である辺部３０ｂ間にサスペンション部材２９の各弾性線材２９１〜２９４を固定、すなわち、一方の辺部３０ａには弾性線材２９１，２９３を、他方の辺部３０ｂには弾性線材２９２，２９４をそれぞれ端子片部２９ｂ１，２９ｂ３及び２９ｂ２，２９ｂ４においてインサート固定されてそれぞれの端子２９ｃ１，２９ｃ３は一方の辺部３０ａの外面側に、端子２９ｃ２，２９ｃ４は他方の辺部３０ｂの外面側に突出されている。また、サスホルダ３０の弾性線材２９１〜２９４を固定する辺部３０ａ，３０ｂの内面側にそれぞれの弾性線材２９１〜２９４に対応してダンピングボックス３１を配置して、弾性線材２９１〜２９４の端部を非接触で挿入し、シリコーンゲル等のダンピング材を充填する構造とする。
【手続補正９】
【補正対象書類名】明細書
【補正対象項目名】００３７
【補正方法】変更
【補正の内容】
【００３７】
その後、サスペンション部材２９を金属薄板材３５の残存枠部３５ａから切離す。すなわち、金属薄板材３５の残存枠部３５ａと弾性線材２９１〜２９４の端子片部２９ｂ１〜２９ｂ４とを連結する連結部３５ｂ１〜３５ｂ４および弾性線材２９１，２９２および２９３，２９４の中間部との連結部３５ｃ１，３５ｃ２を切断する。そして、この切断の際、サス取付け部材２７の取付けブロック２７ｂ１と２７ｂ２の間および２７ｂ３と２７ｂ４の間における弾性線材２９１と２９２の連続部および弾性線材２９３と２９４の連続部を切断除去する。この弾性線材２９１，２９２間および２９３，２９４間を切断除去することにより、弾性線材２９１〜２９４はフォーカスコイル２４およびトラッキングコイル２５への給電線として使用できる。
【手続補正１０】
【補正対象書類名】明細書
【補正対象項目名】００４５
【補正方法】変更
【補正の内容】
【００４５】
【発明の効果】
以上のように本発明による光学ヘッドアクチュエータは、対物レンズを保持するレンズホルダと、このレンズホルダを対物レンズの光軸方向およびこの光軸方向に垂直な方向に弾性支持する第１の支持部および第２の支持部を有するサスペンションホルダと、レンズホルダと第１の支持部および第２の支持部とを連結し、長手方向にコンプライアンスを有する４本の弾性部材と、を有し、レンズホルダは、第１の支持部と第２の支持部との略中央に配置され、第１の支持部および第２の支持部と４本の弾性部材との固定部が対物レンズの光軸方向と垂直な平面にて略同一高さとするように構成したことにより、対物レンズは安定して支持されて傾きが確実に保証されて、対物レンズの光軸方向を所要点方向に常に正確に向けることができ、また、レンズホルダを支持する弾性部材は平面的に配置されることにより光学ヘッドアクチュエータの薄型化が可能になり、この光学ヘッドアクチュエータを備える光学系装置全体を薄型に構成することができ、特に光ディスク装置の光学ピックアップに用いてその効果が大である。
【手続補正１１】
【補正対象書類名】図面
【補正対象項目名】図２
【補正方法】変更
【補正の内容】
【図２】
2000163774.tif 000001
【手続補正１２】
【補正対象書類名】図面
【補正対象項目名】図８
【補正方法】変更
【補正の内容】
【図８】
2000163774.tif 000002